(57)【要約】【課題】暗号化ファイルの受渡者から受領者へ複合用のパスワードを伝達する際の、安全で利便性の高いパスワード伝達システムを提供すること。【解決手段】このパスワード伝達システム５は、暗号化されたファイルの名称と、前記ファイルを複合するためのパスワードと、前記ファイルを複合しようとする者の電話番号を入力するためのＷＥＢページを送信するＷＥＢページ送信部１００と、その入力値であるパスワード情報を受け付けるパスワード情報受信部１１０と、前記パスワード情報を保存するパスワード情報保存部１２０と、発信者電話番号通知を伴ったダイアルを受け付ける発信者電話番号受付部２００と、前記発信者電話番号とパスワード情報保存部１２０が保存するパスワード情報に含まれる電話番号を照合し、合致するパスワード情報を判別する発信者電話番号照合部２１０と、発信者電話番号照合部２１０の判別に従ってパスワード情報を案内するパスワード情報案内部２２０とを備える。【選択図】図１
2005242993.tif 000002
【特許請求の範囲】
【請求項１】
暗号化されたファイルを受け渡し、その受領者へ複合用のパスワードを安全に伝達する必要があるユーザーが、暗号化されたファイルの名称と、前記ファイルを複合するためのパスワードと、前記ファイルを複合しようとする者の電話番号を入力するためのＷＥＢページを送信するＷＥＢページ送信手段と、
その入力値であるパスワード情報を受け付けるパスワード情報受信手段と、
前記パスワード情報を保存するパスワード情報保存手段と、
発信者電話番号通知を伴ったダイアルを受け付ける発信者電話番号受付手段と、
前記発信者電話番号とパスワード情報保存手段が保存するパスワード情報に含まれる電話番号を照合し、合致するパスワード情報を判別する発信者電話番号照合手段と、
発信者電話番号照合手段により電話番号が合致したと判別されたパスワード情報をダイアルしてきたユーザーに案内するパスワード情報案内手段と
を備えるパスワード伝達システム。
【請求項２】
暗号化されたファイルを受け渡し、その受領者へ複合用のパスワードを安全に伝達する必要があるユーザーが、暗号化されたファイルの名称と、前記ファイルを複合するためのパスワードと、前記ファイルを複合しようとする者の電話番号を入力するためのＷＥＢページを送信するステップと、
その入力値であるパスワード情報を受け付けるステップと、
前記パスワード情報を保存するステップと、
発信者電話番号通知を伴ったダイアルを受け付けるステップと、
前記発信者電話番号とパスワード情報保存手段が保存するパスワード情報に含まれる電話番号を照合し、合致するパスワード情報を判別するステップと、
発信者電話番号照合手段により電話番号が合致したと判別されたパスワード情報をダイアルしてきたユーザーに案内するステップと
を備えるパスワード伝達方法。
【請求項３】
コンピュータを、
暗号化されたファイルを受け渡し、その受領者へ複合用のパスワードを安全に伝達する必要があるユーザーが、暗号化されたファイルの名称と、前記ファイルを複合するためのパスワードと、前記ファイルを複合しようとする者の電話番号を入力するためのＷＥＢページを送信するＷＥＢページ送信手段と、
その入力値であるパスワード情報を受け付けるパスワード情報受信手段と、
前記パスワード情報を保存するパスワード情報保存手段と、
発信者電話番号通知を伴ったダイアルを受け付ける発信者電話番号受付手段と、
前記発信者電話番号とパスワード情報保存手段が保存するパスワード情報に含まれる電話番号を照合し、合致するパスワード情報を判別する発信者電話番号照合手段と、
発信者電話番号照合手段により電話番号が合致したと判別されたパスワード情報をダイアルしてきたユーザーに案内するパスワード情報案内手段と
して機能させるためのパスワード伝達プログラム。
【請求項４】
請求項３に記載のパスワード伝達プログラムが記録されたことを特徴とするコンピュータ読取可能な記録媒体。
【発明の詳細な説明】
【技術分野】
【０００１】本発明は、パスワード伝達システム、パスワード伝達方法、パスワード伝達プログラム、及び、コンピュータ読取可能な記録媒体に関するものである。
【背景技術】
【０００２】暗号化ファイルの受渡者から受領者へ複合用のパスワードを伝達することは、口頭連絡、電話による口頭連絡、パスワードを記載した紙面の手渡し、パスワードを記載した紙面の郵送、電子メールの送受信といった手段によってなされている。
【発明の開示】
【発明が解決しようとする課題】
【０００３】そのために、次のような問題点があった。
（イ）口頭連絡により複合用のパスワードを伝達しようとした場合、暗号化ファイルの受渡者と受領者が地理的に離れていると、実施できない。
（ロ）電話による口頭連絡で複合用のパスワードを伝達しようとした場合、暗号化ファイルの受渡者が複合用のパスワードを受け渡したい時に暗号化ファイルの受領者と電話連絡が取れなければ実施できず、また暗号化ファイルの受領者が複合用のパスワードを受領したい時に、暗号化ファイルの受渡者と電話連絡が取れなければ実施できない。
（ハ）複合用のパスワードを記載した紙面の手渡しにより伝達しようとした場合、暗号化ファイルの受渡者と受領者が地理的に離れていると、実施できない。
（ニ）複合用のパスワードを記載した紙面の郵送により伝達しようとした場合、暗号化ファイルの受領者が、郵便の送達にかかる期間よりも短い期間内にファイルを複合する必要があると、実施できない。
（ホ）電子メールの送受信により複合用のパスワードを伝達することは、暗号化ファイルの受渡者と受領者が地理的に離れていようとも、相互に電話連絡を取ることができなくても、郵送と比較して短期間で実施でき、利便性が高い。しかしながら、暗号化ファイル自身も電子メールの送受信により授受していれば、暗号化ファイルとパスワードがインターネットで同一経路を経る可能性があり、また同一メールサーバー上に両者が保存されるため、暗号化ファイルの受渡者と受領者間で事前に機密性を保てるメールアプリケーションを採用していない限り、インターネットで両者を中継したネットワーク機器の管理者や、メールサーバーの管理者といった本来の受領者以外の者が暗号化ファイルと複合用のパスワードの双方を入手し、暗号化ファイルを複合してしまう危険性がある。【０００４】本発明は、以上の問題点を解決するための安全で利便性の高いパスワード伝達システム、パスワード伝達方法、パスワード伝達プログラム及びコンピュータ読取可能な記録媒体を提供することを課題とする。
【課題を解決するための手段】
【０００５】本発明のパスワード伝達システムは、暗号化されたファイルを受け渡し、その受領者へ複合用のパスワードを安全に伝達する必要があるユーザーが、暗号化されたファイルの名称と、前記ファイルを複合するためのパスワードと、前記ファイルを複合しようとする者の電話番号を入力するためのＷＥＢページを送信するＷＥＢページ送信手段と、その入力値であるパスワード情報を受け付けるパスワード情報受信手段と、前記パスワード情報を保存するパスワード情報保存手段と、発信者電話番号通知を伴ったダイアルを受け付ける発信者電話番号受付手段と、前記発信者電話番号とパスワード情報保存手段が保存するパスワード情報に含まれる電話番号を照合し、合致するパスワード情報を判別する発信者電話番号照合手段と、発信者電話番号照合手段により電話番号が合致したと判別されたパスワード情報をダイアルしてきたユーザーに案内するパスワード情報案内手段とを備える。【０００６】本発明によれば、ＷＥＢページ送信手段が、暗号化されたファイルを受け渡し、その受領者へ複合用のパスワードを安全に伝達する必要があるユーザーが操作する、インターネットに接続されたＷＥＢブラウザ搭載端末に向けてＷＥＢページを送信するので、前記ユーザーは、ＷＥＢページに暗号化されたファイルの名称と、前記ファイルを複合するためのパスワードと、前記ファイルを複合しようとする者の電話番号を入力することができる。パスワード情報受信手段が前記入力値であるパスワード情報を受信し、パスワード情報保存手段が、前記パスワード情報を保存するので、前記ユーザーは、暗号化ファイルの受領者が地理的に離れていようとも、電話連絡がつかなくとも、本発明のパスワード伝達システムが動作している限りいつでも複合用のパスワードの受け渡し行為を完了させることができる。発信者電話番号受付手段が、発信者電話番号通知を伴ったダイアルを受け付け、発信者電話番号照合手段が、前記発信者電話番号とパスワード情報保存手段が保存するパスワード情報に含まれる電話番号とを照合し、合致するパスワード情報を判別し、パスワード情報案内手段が、ダイアルしてきたユーザーに前記の合致したパスワード情報を案内するので、前記ユーザーが前期ＷＥＢページに応じて入力した電話番号を保有する電話を操作できる者に限ってパスワード情報の案内を受けることができる。前記ユーザーが前記ＷＥＢページに、暗号化されたファイルの受領者のみが操作可能な電話の電話番号を正確に入力することで、前記パスワードを安全に伝達できる。更に暗号化されたファイルの受領者は、発信者電話番号通知を伴って発信者電話番号受付手段にダイアルすることで、前記ユーザーと地理的に離れていようとも、電話連絡がつかなくとも、本発明のパスワード伝達システムが動作している限りいつでも前記パスワードの案内を受け、前記パスワードの受領行為を完了させることができる。【０００７】暗号化されたファイルを受け渡し、その受領者へ複合用のパスワードを安全に伝達する必要があるユーザーが操作する、インターネットに接続されたＷＥＢブラウザ搭載端末と、パスワード情報受信手段の間の通信に、ＳＳＬなどの安全性の高い手段を用いることで、複合用のパスワードがインターネット上で漏洩する可能性を低減することができる。合わせて受渡者と受領者の間で暗号化ファイルの授受を電子メールにより実施しても、本発明のパスワード伝達システムとメールサーバーのネットワークアドレスを全く異なるものにすることで、暗号化ファイルと複合用のパスワードがインターネット上で同一経路を経る可能性が低減し、暗号化ファイルまたはパスワードを中継したネットワーク機器の管理者といった本来の受領者以外の者が暗号化ファイルとパスワードの双方を入手することを難しくできる。また本発明のパスワード伝達システムの管理者とメールサーバーの管理者を異なる者にすることで、パスワード伝達システムの管理者またはメールサーバーの管理者が、暗号化ファイルとパスワードの双方を入手することを難しくできる。こうして受渡者と受領者の間で暗号化ファイルの授受を電子メールにより実施しても、暗号化ファイルまたはパスワードをインターネット上で中継したネットワーク機器の管理者や、メールサーバーの管理者といった本来の暗号化ファイルの受領者以外の者が暗号化ファイルと複合用のパスワードの双方を入手して、暗号化ファイルを複合してしまう危険性を低減できる。【０００８】暗号化されたファイルを受け渡し、その受領者へ複合用のパスワードを安全に伝達する必要があるユーザーが、電子メールなどの通信手段により暗号化ファイルを受領者に向けて送信した後に、速やかに本発明のパスワード伝達システムにアクセスし、パスワード情報を入力しておけば、暗号化ファイルの受領者が、暗号化ファイルを受領した後に、速やかに本発明のパスワード伝達システムにダイアルすることで、複合用のパスワードを記載した紙面の郵送にかかる期間よりも短い期間内にパスワードを受領し、ファイルを複合することができる。【０００９】本発明のパスワード伝達方法は、暗号化されたファイルを受け渡し、その受領者へ複合用のパスワードを安全に伝達する必要があるユーザーが、暗号化されたファイルの名称と、前記ファイルを複合するためのパスワードと、前記ファイルを複合しようとする者の電話番号を入力するためのＷＥＢページを送信するステップと、その入力値であるパスワード情報を受け付けるステップと、前記パスワード情報を保存するステップと、発信者電話番号通知を伴ったダイアルを受け付けるステップと、前記発信者電話番号とパスワード情報保存手段が保存するパスワード情報に含まれる電話番号を照合し、合致するパスワード情報を判別するステップと、発信者電話番号照合手段により電話番号が合致したと判別されたパスワード情報をダイアルしてきたユーザーに案内するステップとを備える。【００１０】本発明によれば、ＷＥＢページ送信手段が、暗号化されたファイルを受け渡し、その受領者へ複合用のパスワードを安全に伝達する必要があるユーザーが操作する、インターネットに接続されたＷＥＢブラウザ搭載端末に向けてＷＥＢページを送信するので、前記ユーザーは、ＷＥＢページに暗号化されたファイルの名称と、前記ファイルを複合するためのパスワードと、前記ファイルを複合しようとする者の電話番号を入力することができる。パスワード情報受信手段が前記入力値であるパスワード情報を受信し、パスワード情報保存手段が、前記パスワード情報を保存するので、前記ユーザーは、暗号化ファイルの受領者が地理的に離れていようとも、電話連絡がつかなくとも、本発明のパスワード伝達システムが動作している限りいつでも複合用のパスワードの受け渡し行為を完了させることができる。発信者電話番号受付手段が、発信者電話番号通知を伴ったダイアルを受け付け、発信者電話番号照合手段が、前記発信者電話番号とパスワード情報保存手段が保存するパスワード情報に含まれる電話番号とを照合し、合致するパスワード情報を判別し、パスワード情報案内手段が、ダイアルしてきたユーザーに前記の合致したパスワード情報を案内するので、前記ユーザーが前期ＷＥＢページに応じて入力した電話番号を保有する電話を操作できる者に限ってパスワード情報の案内を受けることができる。前記ユーザーが前記ＷＥＢページに、暗号化されたファイルの受領者のみが操作可能な電話の電話番号を正確に入力することで、前記パスワードを安全に伝達できる。更に暗号化されたファイルの受領者は、発信者電話番号受付手段にダイアルすることで、前記ユーザーと地理的に離れていようとも、電話連絡がつかなくとも、本発明のパスワード伝達システムが動作している限りいつでも前記パスワードの案内を受け、前記パスワードの受領行為を完了させることができる。【００１１】暗号化されたファイルを受け渡し、その受領者へ複合用のパスワードを安全に伝達する必要があるユーザーが操作する、インターネットに接続されたＷＥＢブラウザ搭載端末と、パスワード情報受信手段の間の通信に、ＳＳＬなどの安全性の高い手段を用いることで、複合用のパスワードがインターネット上で漏洩する可能性を低減することができる。合わせて受渡者と受領者の間で暗号化ファイルの授受を電子メールにより実施しても、本発明のパスワード伝達システムとメールサーバーのネットワークアドレスを全く異なるものにすることで、暗号化ファイルと複合用のパスワードがインターネット上で同一経路を経る可能性が低減し、暗号化ファイルまたはパスワードを中継したネットワーク機器の管理者といった本来の受領者以外の者が暗号化ファイルとパスワードの双方を入手することを難しくできる。また本発明のパスワード伝達システムの管理者とメールサーバーの管理者を異なる者にすることで、パスワード伝達システムの管理者またはメールサーバーの管理者が、暗号化ファイルとパスワードの双方を入手することを難しくできる。こうして暗号化ファイルまたはパスワードをインターネット上で中継したネットワーク機器の管理者や、メールサーバーの管理者といった本来の暗号化ファイルの受領者以外の者が暗号化ファイルと複合用のパスワードの双方を入手して、暗号化ファイルを複合してしまう危険性を低減できる。【００１２】暗号化されたファイルを受け渡し、その受領者へ複合用のパスワードを安全に伝達する必要があるユーザーが、電子メールなどの通信手段により暗号化ファイルを受領者に向けて送信した後に、速やかに本発明のパスワード伝達システムにアクセスし、パスワード情報を入力しておけば、暗号化ファイルの受領者が、暗号化ファイルを受領した後に、速やかに本発明のパスワード伝達システムにダイアルすることで、複合用のパスワードを記載した紙面の郵送にかかる期間よりも短い期間内にパスワードを受領し、ファイルを複合することができる。【００１３】本発明のパスワード伝達プログラムは、コンピュータを、暗号化されたファイルを受け渡し、その受領者へ複合用のパスワードを安全に伝達する必要があるユーザーが、暗号化されたファイルの名称と、前記ファイルを複合するためのパスワードと、前記ファイルを複合しようとする者の電話番号を入力するためのＷＥＢページを送信するＷＥＢページ送信手段と、その入力値であるパスワード情報を受け付けるパスワード情報受信手段と、前記パスワード情報を保存するパスワード情報保存手段と、発信者電話番号通知を伴ったダイアルを受け付ける発信者電話番号受付手段と、前記発信者電話番号とパスワード情報保存手段が保存するパスワード情報に含まれる電話番号を照合し、合致するパスワード情報を判別する発信者電話番号照合手段と、発信者電話番号照合手段により電話番号が合致したと判別されたパスワード情報をダイアルしてきたユーザーに案内するパスワード情報案内手段として機能させる。【００１４】コンピュータを用いて、本発明のプログラムを実行すると、ＷＥＢページ送信手段が、暗号化されたファイルを受け渡し、その受領者へ複合用のパスワードを安全に伝達する必要があるユーザーが操作する、インターネットに接続されたＷＥＢブラウザ搭載端末に向けてＷＥＢページを送信するので、前記ユーザーは、ＷＥＢページに暗号化されたファイルの名称と、前記ファイルを複合するためのパスワードと、前記ファイルを複合しようとする者の電話番号を入力することができる。パスワード情報受信手段が前記入力値であるパスワード情報を受信し、パスワード情報保存手段が、前記パスワード情報を保存するので、前記ユーザーは、暗号化ファイルの受領者が地理的に離れていようとも、電話連絡がつかなくとも、本発明のパスワード伝達システムが動作している限りいつでも複合用のパスワードの受け渡し行為を完了させることができる。発信者電話番号受付手段が、発信者電話番号通知を伴ったダイアルを受け付け、発信者電話番号照合手段が、前記発信者電話番号とパスワード情報保存手段が保存するパスワード情報に含まれる電話番号とを照合し、合致するパスワード情報を判別し、パスワード情報案内手段が、ダイアルしてきたユーザーに前記の合致したパスワード情報を案内するので、前記ユーザーが前期ＷＥＢページに応じて入力した電話番号を保有する電話を操作できる者に限ってパスワード情報の案内を受けることができる。前記ユーザーが前記ＷＥＢページに、暗号化されたファイルの受領者のみが操作可能な電話の電話番号を正確に入力することで、前記パスワードを安全に伝達できる。更に暗号化されたファイルの受領者は、発信者電話番号受付手段にダイアルすることで、前記ユーザーと地理的に離れていようとも、電話連絡がつかなくとも、本発明のパスワード伝達システムが動作している限りいつでも前記パスワードの案内を受け、前記パスワードの受領行為を完了させることができる。【００１５】暗号化されたファイルを受け渡し、その受領者へ複合用のパスワードを安全に伝達する必要があるユーザーが操作する、インターネットに接続されたＷＥＢブラウザ搭載端末と、パスワード情報受信手段の間の通信に、ＳＳＬなどの安全性の高い手段を用いることで、複合用のパスワードがインターネット上で漏洩する可能性を低減することができる。合わせて受渡者と受領者の間で暗号化ファイルの授受を電子メールにより実施しても、本発明のパスワード伝達システムとメールサーバーのネットワークアドレスを全く異なるものにすることで、暗号化ファイルと複合用のパスワードがインターネット上で同一経路を経る可能性が低減し、暗号化ファイルまたはパスワードを中継したネットワーク機器の管理者といった本来の受領者以外の者が暗号化ファイルとパスワードの双方を入手することを難しくできる。また本発明のパスワード伝達システムの管理者とメールサーバーの管理者を異なる者にすることで、パスワード伝達システムの管理者またはメールサーバーの管理者が、暗号化ファイルとパスワードの双方を入手することを難しくできる。こうして暗号化ファイルまたはパスワードをインターネット上で中継したネットワーク機器の管理者や、メールサーバーの管理者といった本来の暗号化ファイルの受領者以外の者が暗号化ファイルと複合用のパスワードの双方を入手して、暗号化ファイルを複合してしまう危険性を低減できる。【００１６】暗号化されたファイルを受け渡し、その受領者へ複合用のパスワードを安全に伝達する必要があるユーザーが、電子メールなどの通信手段により暗号化ファイルを受領者に向けて送信した後に、速やかに本発明のパスワード伝達システムにアクセスし、パスワード情報を入力しておけば、暗号化ファイルの受領者が、暗号化ファイルを受領した後に、速やかに本発明のパスワード伝達システムにダイアルすることで、複合用のパスワードを記載した紙面の郵送にかかる期間よりも短い期間内にパスワードを受領し、ファイルを複合することができる。【００１７】本発明のコンピュータ読取可能な記録媒体は、上記のプログラムが記録されている。
【発明を実施するための最良の形態】
【００１８】本発明の実施の形態を図面を参照しながら説明する。可能な場合には、同一の部分には同一の符号を付して重複する説明を省略する。本実施の形態の説明では、データの流れを模式的に示す場合があるが、実際のシステム構成では次の通りとする。本発明のパスワード伝達システムとＷＥＢブラウザ搭載端末とのデータ通信にＴＣＰ／ＩＰなどのプロトコルを用いることができる。ＴＣＰ／ＩＰの上位プロトコルとしては、ＷＷＷ（Ｗｏｒｌｄ  Ｗｉｄｅ  Ｗｅｂ）で用いられるｈｔｔｐ（Ｈｙｐｅｒ  Ｔｅｘｔ  Ｔｒａｎｓｆｅｒ  Ｐｒｏｔｏｃｏｌ）を用いることができる。また安全なデータ通信にＳＳＬ（Ｓｅｃｕｒｅ  Ｓｏｃｋｅｔ  Ｌａｙｅｒ）などのプロトコルを用いることができる。これらのプロトコル上で、ＷＷＷブラウザの表示形式を規定するＨＴＭＬ（Ｈｙｐｅｒ  Ｔｅｘｔ  Ｍａｒｋｕｐ  Ｌａｎｇｕａｇｅ）やＣｏｍｐａｃｔ−ＨＴＭＬを用いることができる。また、本発明の目的を達成できる範囲で他のプロトコルを用いることもできる。また本発明のパスワード伝達システムとダイアル可能な電話の間の通信網に固定電話網、携帯電話網、インターネットなどを用いることができ、通信方式に回線交換通信方式、ＴＣＰ／ＩＰなどを用いることができる。また、本発明の目的を達成できる範囲で他の通信方式を用いることもできる。またＷＥＢブラウザ搭載端末にパーソナルコンピュータ、携帯電話などを用いることができる。また本発明の目的を達成できる範囲で、ＷＥＢブラウザを搭載し、表示画面を持つ電子機器を用いることもできる。【００１９】図１は、パスワード伝達システム５の機能的な構成要素および外接する要素とのネットワーク構成を示した図である。パスワード伝達システム５と、ＷＥＢブラウザ搭載端末であるパーソナルコンピュータ１０および携帯電話２０とはインターネット１で接続しており、インターネット１を介して相互にデータ通信が可能なように構成されている。またパスワード伝達システム５と、ダイアル可能な電話である固定電話５０および携帯電話６０は通信網２で接続しており、通信網２を介して相互に通信が可能なように構成されている。以下、ＷＥＢブラウザ搭載端末にはパーソナルコンピュータ１０、ダイアル可能な電話には携帯電話６０を用いて説明する。【００２０】パーソナルコンピュータ１０は、暗号化ファイルの複合用のパスワードを受け渡すユーザーが操作するパーソナルコンピュータである。このユーザーはＷＥＢブラウザを用いてパスワード伝達システムにアクセスし、ＷＥＢページ送信部（ＷＥＢページ送信手段）１００より送信されるＷＥＢページに応じて、暗号化されたファイルの名称と、前記ファイルを複合するためのパスワードと、前記ファイルを複合しようとする者の電話番号を入力し、パスワード情報受信部（パスワード情報受信手段）１１０へ送信する。以下、この入力値をパスワード情報５００と呼ぶ。またＷＥＢページの一例を図２に示す。【００２１】携帯電話６０は、暗号化ファイルの複合用のパスワードを受領するユーザーが操作する携帯電話である。このユーザーは、発信者電話番号受付部（発信者電話番号受付手段）２００が保有する電話番号に発信者電話番号通知を伴ってダイアルをし、���スワード情報案内部（パスワード情報案内手段）２２０よりパスワード情報の案内を受けることで、パスワードを受領する。【００２２】パスワード伝達システム５は、物理的には、ＣＰＵ（中央処理装置）、メモリ、マウスやキーボードといった入力装置、ディスプレイといった表示装置、ハードディスクといった格納装置などを備えたコンピュータシステム（例えばワークステーション、パーソナルコンピュータ）として構成されている。【００２３】パスワード伝達システム５は機能的な構成要素として、図１に示すように、ＷＥＢページ送信部（ＷＥＢページ送信手段）１００と、その入力値であるパスワード情報を受け付けるパスワード情報受信部（パスワード情報受信手段）１１０と、前記パスワード情報を保存するパスワード情報保存部（パスワード情報保存手段）１２０と、発信者電話番号通知を伴ったダイアルを受け付ける発信者電話番号受付部（発信者電話番号受付手段）２００と、前記発信者電話番号とパスワード情報保存部（パスワード情報保存手段）１２０が保存するパスワード情報に含まれる電話番号を照合し、合致するパスワード情報を判別する発信者電話番号照合部（発信者電話番号照合手段）２１０と、発信者電話番号照合部（発信者電話番号照合手段）２１０の判別に従ってパスワード情報を案内するパスワード情報案内部（パスワード情報案内手段）２２０とを備える。以下、各構成要素について詳細に説明する。【００２４】ＷＥＢページ送信部（ＷＥＢページ送信手段）１００は、パーソナルコンピュータ１０からのアクセスを受け付け、パスワード情報５００の入力を受けるためのＷＥＢページを送信する。ＷＥＢページの一例は図２に示す通りである。【００２５】パスワード情報受信部（パスワード情報受信手段）１１０は、パーソナルコンピュータ１０から送信されたパスワード情報５００を受信し、パスワード情報保存部（パスワード情報保存手段）１２０に保存を依頼する。【００２６】パスワード情報保存部（パスワード情報保存手段）１２０は、パスワード情報受信部（パスワード情報受信手段）１１０の依頼によってパスワード情報５００を保存すると共に、発信者電話番号照合部（発信者電話番号照合手段）２１０の呼び出しに応じて保存しているパスワード情報５００を出力する。本実施形態ではパスワード情報保存部（パスワード情報保存手段）１２０にデータベースを用いてパスワード情報５００を保存しているが、ＸＭＬファイルといったものを用いてもよい。ここで保存されているパスワード情報５００の一例を図３に示す。例えばパスワード情報５１０であれば、暗号化されたファイルの名称は「Ｋｏｋｙａｋｕ．ｔｘｔ」、複合するためのパスワードは「ｆｕｋｕｇｏ」、複合しようとする者の電話番号は「０９０−１１１１−１１１１」となる。【００２７】発信者電話番号受付部（発信者電話番号受付手段）２００は、発信者電話番号通知を伴った携帯電話６０からのダイアルを受け付け、その電話番号を発信者電話番号照合部（発信者電話番号照合手段）２１０に通知する。発信者電話番号通知を伴わない携帯電話６０からのダイアルは拒否する。【００２８】発信者電話番号照合部（発信者電話番号照合手段）２１０は、発信者電話番号受���部（発信者電話番号受付手段）２００から通知のあった発信者電話番号に基づいて、パスワード情報保存部（パスワード情報保存手段）１２０に保存されるパスワード情報５００を呼び出す。前記発信者電話番号とパスワード情報５００に含まれる電話番号を照合し、合致するパスワード情報５００を判別して、その暗号化されたファイルの名称と複合するためのパスワードを、パスワード情報案内部（パスワード情報案内手段）２２０へ通知する。例えばパスワード情報保存部（パスワード情報保存手段）１２０に図３の通り３つのパスワード情報が保存されているとする。電話番号「０９０−２２２２−２２２２」の電話を操作するユーザーが、発信者電話番号通知を伴って発信者電話番号受付部（発信者電話番号受付手段）２００にダイアルした場合、発信者電話番号照合部（発信者電話番号照合手段）２１０は、パスワード情報５１１が合致すると判別し、暗号化されたファイルの名称として「Ｃｕｓｔｏｍ．ｔｘｔ」、複合するためのパスワードとして「ＨｅｌｌｏＫｅｙ」を、パスワード情報案内部（パスワード情報案内手段）２２０へ通知する。一方で電話番号「０９０−４４４４−４４４４」の電話を操作するユーザーが、発信者電話番号通知を伴って発信者電話番号受付部（発信者電話番号受付手段）２００にダイアルした場合、合致するパスワード情報がないと判別し、パスワード情報がないことをパスワード情報案内部（パスワード情報案内手段）２２０へ通知する。【００２９】パスワード情報案内部（パスワード情報案内手段）２２０は、発信者電話番号照合部（発信者電話番号照合手段）２１０により通知された、暗号化されたファイルの名称と複合するためのパスワードに基づき、携帯電話６０へ音声案内する。本実施形態では案内方法に音声を用いたが、ＳＭＳ（Ｓｈｏｒｔ  Ｍｅｓｓａｇｅ  Ｓｅｒｖｉｃｅ）の送信といった文字案内の方法を用いてもよい。例えば発信者電話番号照合部（発信者電話番号照合手段）２１０より、暗号化されたファイルの名称として「Ｃｕｓｔｏｍ．ｔｘｔ」、複合するためのパスワードとして「ＨｅｌｌｏＫｅｙ」の通知があった場合、携帯電話６０に対して「お客様に通知のあった暗号化ファイルは、ラージシー、ユー、エス、ティ、オー、エム、ドット、ティ、エックス、ティです。パスワードは、ラージエイチ、イー、エル、エル、オー、ラージケイ、イー、ワイです。」と音声で案内する。また発信者電話番号照合部（発信者電話番号照合手段）２１０より合致するパスワード情報がないことの通知があった場合、「申し訳ございません。お客様に通知のあるパスワード情報はございません。」と音声で案内する。【００３０】次にパスワード伝達システム５を用いてパスワードを伝達する方法について図４を用いて説明する。図４は、パスワード伝達システム５を用いてパスワードを伝達する方法を示したフローチャートである。パスワード伝達システム５のＷＥＢページ送信部１００は、パーソナルコンピュータ１０のアクセスを待ち受ける状態にある。（ステップＳ０１）。ＷＥＢページ送信部１００はアクセスを受け付けるとＷＥＢページを送信する。（ステップＳ０２）【００３１】パスワード情報受信部１１０は、パーソナルコンピュータ１０より入力されたパスワード情報５００を受信し、パスワード情報保存部１２０にパスワード情報５００の保存を依頼する。（ステップＳＯ０３）【００３２】パスワード情報保存部１２０は、パスワード情報５００を保存する。（ステップＳＯ０４）【００３３】発信者電話番号受付部２００は、携帯電話６０からダイアルを待ち受ける状態にある。（ステップＳＯ０５）発信者電話番号受付部は、ダイアルを受け付けると発信者電話番号照合部２１０にこの発信者電話番号を通知する。【００３４】発信者電話番号照合部２１０は、発信者電話番号受付部（発信者電話番号受付手段）２００から通知のあった発信者電話番号に基づいて、パスワード情報保存部（パスワード情報保存手段）１２０に保存されるパスワード情報５００を呼び出す。前記発信者電話番号とパスワード情報５００に含まれる電話番号を照合し、合致するパスワード情報５００を判別して、そのパスワード情報をパスワード情報案内部（パスワード情報案内手段）２２０へ通知する。合致するパスワード情報５００がない場合は、パスワード情報５００がないことをパスワード情報案内部（パスワード情報案内手段）２２０へ通知する。（ステップＳ０６）【００３５】パスワード情報案内部２２０は、発信者電話番号照合部（発信者電話番号照合手段）２１０により通知されたパスワード情報５００に基づき、パスワード情報５００を携帯電話６０へ音声案内する。（ステップＳＯ０７）また、発信者電話番号照合部（発信者電話番号照合手段）２１０よりパスワード情報がないことを通知された場合は、パスワード情報がないことを携帯電話６０へ音声案内する。（ステップＳＯ０８）【００３６】次にコンピュータを、本発明の実施形態であるパスワード伝達システム５として機能させるためのパスワード伝達プログラム９２及びそれが記録されているコンピュータ読取可能な記録媒体９について説明する。図５は、パスワード伝達プログラム９２が記録されている記録媒体９の構成を示した図である。記録媒体９としては、例えば、磁気ディスク、光ディスク、ＣＤ−ＲＯＭ、コンピュータに内蔵されたメモリなどが該当する。【００３７】記録媒体９は、図に示すように、プログラムを記録するプログラム領域９１と、データを記録するデータ領域９３とを備えている。データ領域９３には、図１及び図３を用いて説明したパスワード情報保存部１２０と同様のパスワード情報保存データベース９３１が格納されている。【００３８】プログラム領域９１には、パスワード伝達プログラム９２が記録されている。パスワード伝達プログラム９２は、処理を統括するメインモジュール９２１と、ＷＥＢページ送信モジュール９２２と、パスワード情報受信モジュール９２３と、発信者電話番号受付モジュール９２４と、発信者電話番号照合モジュール９２５と、パスワード情報案内モジュール９２６からなり、それぞれを動作させることによって実現する機能は、上記システムのＷＥＢページ送信部１００、パスワード情報受信部１１０、発信者電話番号受付部２００、発信者電話番号照合部２１０、パスワード情報案内部２２０のそれぞれの機能と同様である。
【発明の効果】
【００３９】本発明によれば、ＷＥＢページ送信手段が、暗号化されたファイルを受け渡し、その受領者へ複合用のパスワードを安全に伝達する必要があるユーザーが操作する、インターネットに接続されたＷＥＢブラウザ搭載端末に向けてＷＥＢページを送信するので、前記ユーザーは、ＷＥＢページに暗号化されたファイルの名称と、前記ファイルを複合するためのパスワードと、前記ファイルを複合しようとする者の電話番号を入力することができる。パスワード情報受信手段が前記入力値であるパスワード情報を受信し、パスワード情報保存手段が、前記パスワード情報を保存するので、前記ユーザーは、暗号化ファイルの受領者が地理的に離れていようとも、電話連絡がつかなくとも、本発明のパスワード伝達システムが動作している限りいつでも複合用のパスワードの受け渡し行為を完了させることができる。発信者電話番号受付手段が、発信者電話番号通知を伴ったダイアルを受け付け、発信者電話番号照合手段が、前記発信者電話番号とパスワード情報保存手段が保存するパスワード情報に含まれる電話番号とを照合し、合致するパスワード情報を判別し、パスワード情報案内手段が、ダイアルしてきたユーザーに前記の合致したパスワード情報を案内するので、前記ユーザーが前期ＷＥＢページに応じて入力した電話番号を保有する電話を操作できる者に限ってパスワード情報の案内を受けることができる。前記ユーザーが前記ＷＥＢページに、暗号化されたファイルの受領者のみが操作可能な電話の電話番号を正確に入力することで、前記パスワードを安全に伝達できる。更に暗号化されたファイルの受領者は、発信者電話番号受付手段にダイアルすることで、前記ユーザーと地理的に離れていようとも、電話連絡がつかなくとも、本発明のパスワード伝達システムが動作している限りいつでも前記パスワードの案内を受け、前記パスワードの受領行為を完了させることができる。またＷＥＢブラウザ搭載端末とパスワード情報受信手段の間の通信に、ＳＳＬなどの安全性の高い手段を用いることで、複合用のパスワードがインターネット上で漏洩する可能性を低減することができる。合わせて受渡者と受領者の間で暗号化ファイルの授受を電子メールにより実施しても、本発明のパスワード伝達システムとメールサーバーのネットワークアドレスを全く異なるものにすることで、暗号化ファイルと複合用のパスワードがインターネット上で同一経路を経る可能性が低減し、暗号化ファイルまたはパスワードを中継したネットワーク機器の管理者といった本来の受領者以外の者が暗号化ファイルとパスワードの双方を入手することを難しくできる。また本発明のパスワード伝達システムの管理者とメールサーバーの管理者を異なる者にすることで、パスワード伝達システムの管理者またはメールサーバーの管理者が、暗号化ファイルとパスワードの双方を入手することを難しくできる。こうして受渡者と受領者の間で暗号化ファイルの授受を電子メールにより実施しても、暗号化ファイルまたはパスワードをインターネット上で中継したネットワーク機器の管理者や、メールサーバーの管理者といった本来の暗号化ファイルの受領者以外の者が暗号化ファイルと複合用のパスワードの双方を入手して、暗号化ファイルを複合してしまう危険性を低減できる。さらに暗号化されたファイルを受け渡し、その受領者へ複合用のパスワードを安全に伝達する必要があるユーザーが、電子メールなどの通信手段により暗号化ファイルを受領者に向けて送信した後に、速やかに本発明のパスワード伝達システムにアクセスし、パスワード情報を入力しておけば、暗号化ファイルの受領者が、暗号化ファイルを受領した後に、速やかに本発明のパスワード伝達システムにダイアルすることで、複合用のパスワードを記載した紙面の郵送にかかる期間よりも短い期間内にパスワードを受領し、ファイルを複合することができる。従って暗号化ファイルの受渡者から受領者へ複合用のパスワードを伝達する際の、安全で利便性の高いパスワード伝達システム、パスワード伝達方法、パスワード伝達プログラム、及び、コンピュータ読取可能な記録媒体を提供することができた。
【図面の簡単な説明】
【００４０】
【図１】本実施形態のパスワード伝達システムの機能的な構成要素および外接する要素とのネットワーク構成を示した図である。
【図２】図１のＷＥＢページ送信部が送信するＷＥＢページの一例について示した図である。
【図３】図１のパスワード情報保存部が保存するパスワード情報の一例を示した図である。
【図４】本実施形態のパスワード伝達システムを用いてパスワードを伝達する方法を示したフローチャートである。
【図５】本実施形態の自動販売機制御プログラムが記録されている記録媒体の構成を示した図である。
【符号の説明】
５．．．パスワード伝達システム、１００．．．ＷＥＢページ送信部、１１０．．．パスワード情報受信部、１２０．．．パスワード情報保存部、２００．．．発信者電話番号受付部、２１０．．．発信者電話番号照合部、２２０．．．パスワード情報案内部、１０．．．パーソナルコンピュータ、２０．．．携帯電話、５０．．．固定電話、６０．．．携帯電話、１．．．インターネット、２．．．通信網。
【図１】
2005242993.tif 000003
【図２】
2005242993.tif 000004
【図３】
2005242993.tif 000005
【図４】
2005242993.tif 000006
【図５】
2005242993.tif 000007